(57)【特許請求の範囲】
【請求項１】
回路基板とカード部材とを互いに導通した状態で機器ケース内に保持し、バンド部材により腕に取り付けられるリスト型電子機器であって、
端面が前記回路基板の一面に接した状態で前記機器ケース内に収められる絶縁製の枠状部材と、
この枠状部材の内部に収納された電池と、
前記枠状部材及び前記電池を介して前記回路基板と対向して前記機器ケース内に配置され、前記カード部材を保持する保持部材と、
前記枠状部材に保持され、前記カード部材と前記回路基板とを電気的に接続する端子と、
を備えたことを特徴とするリスト型電子機器。
【請求項２】
前記カード部材はメモリカードであることを特徴とする請求項１記載のリスト型電子機器。
【請求項３】
前記枠状部材の内側面から内側に向けて突出し、該枠状部材に向けて弾性変形可能であり、前記電池を前記枠状部材の内側に納める際に弾性変形する、突出部材を備えることを特徴とする請求項１または２記載のリスト型電子機器。
【請求項４】
前記機器ケースを貫通しており、該電子機器内部を外部と接続する接続端子と、
前記枠状部材に設けられ、前記接続端子と前記回路基板とを接続する内部接続端子と、
を備えたことを特徴とする請求項１〜３のいずれかに記載のリスト型電子機器。
【請求項５】
前記接続端子として、外部から内部へ信号を伝達する入力用接続端子と、内部から外部へ信号を伝達する出力用接続端子と、の少なくとも一方を備えることを特徴とする請求項４に記載のリスト型電子機器。
【請求項６】
前記保持部材及び前記枠状部材のいずれか一方に穴を形成し、他方に前記穴に係合する突起を設けたことを特徴とする請求項１〜５のいずれかに記載のリスト型電子機器。
【発明の詳細な説明】
【０００１】
【発明の属する技術分野】
本発明は、バンド部材により腕に取り付けられるリスト型電子機器に関する。
【０００２】
【従来の技術】
従来より、携帯型の音楽再生装置が利用されている。これらの音楽再生装置は、装置本体内に音楽データを記憶した磁気テープやＣＤ、ＭＤ等の光ディスクといった記憶媒体を装着し、各記憶媒体に対応する再生方式で記憶されている音楽データを再生し、イヤホンやヘッドホンから音楽を出力する。音楽の再生や停止等を操作する際は、装置本体に設けられた操作スイッチを操作したり、イヤホンコードに設けられたリモコン装置を用いて遠隔操作する。
【０００３】
一方、半導体メモリの高集積化、低価格化にともなって、小型着脱式の不揮発性メモリである半導体メモリカードを音楽データの記憶媒体として利用する携帯型の音楽再生装置も開発されている。このような携帯型の音楽再生装置は、装置本体を小型化することができるとともに、振動や衝撃に対する耐久性もあり、その携帯性が向上している。
【０００４】
【発明が解決しようとする課題】
ところで、通常のメモリカードは、その端子を一面の周縁近傍に有している。このメモリカードを用いた従来型の電子機器（上述した携帯型の音楽再生装置も含む）においては、端子付の差込口を有するコネクタを用いて、コネクタの端子を回路基板の端子に半田付けで接続して、コネクタの差込口にメモリカードを、前記端子側から差し込んで、メモリカードと回路基板との接続を行っていた。
そのため、メモリカードと回路基板との接続を確保ために大きなスペースが必要となっており、メモリカード付電子機器の薄型化、小型化の妨げとなっていた。また、半田付けで接続していた為に、組立て作業が面倒であった。
【０００５】
上記問題点を解決するため、本発明は、メモリカードなどのカード部材と回路基板との接続構造を新規なものとすることで、より薄型化、小型化メモリカード部材を有するリスト型電子機器を提供することを目的とする。
【０００６】
【課題を解決するための手段】
上記問題点を解決するため、請求項１記載の発明は、回路基板（２１０）とカード部材（例えばメモリカード２６０）とを互いに導通した状態で機器ケース内に保持し、バンド部材（３０１，３０２）により腕に取り付けられるリスト型電子機器であって、端面が前記回路基板の一面に接した状態で前記機器ケース内に収められる絶縁製の枠状部材（２２０）と、この枠状部材の内部に収納された電池（２５０）と、前記枠状部材及び前記電池を介して前記回路基板と対向して前記機器ケース内に配置され、前記カード部材を保持する保持部材（２４０）と、前記枠状部材に保持され、前記カード部材と前記回路基板とを電気的に接続する端子（２２１ａ）と、を備えた構成とした。
【０００７】
この請求項１記載の発明において、リスト型電子機器の内部では、回路基板、枠状部材、保持部材およびカード部材が、この順に積層されている。この状態で、カード部材と回路基板とは、枠状部材に沿って端子によって接続されている。また、回路基板とカード部材とは枠状部材により離間されているため、短絡を起こさず、また、端子に余分な力学的負荷はかからない。また、電池が枠状部材の内部に収納されているので、必要なスペースを最小限に抑えられる。従って、電子機器を薄型化、小型化できる。さらに、絶縁部材を回路基板の所定位置に接触させることでカード部材と回路基板とを接続できるため、これらの接続工程は簡易になる。
【００１０】
また、カード部材としては、例えば請求項２に記載するメモリカード（２６０）であるが、これに限らず、任意のカード状の電子部品を用いてよい。
【００１３】
請求項３記載の発明は、請求項１または２記載のリスト型電子機器において、前記枠状部材の内側面から内側に向けて突出し、該枠状部材に向けて弾性変形可能であり、前記電池を前記枠状部材の内側に納める際に前記枠状部材に向けて弾性変形する、突出部材（２２４）を備えた構成とした。
【００１４】
この請求項３記載の発明によれば、枠状部材の内側に納められた電池は、前記突出部材の反発力により保持されるので、より電池を安定して納められる。
【００１５】
請求項４記載の発明は、請求項１〜３のいずれかに記載のリスト型電子機器において、前記機器ケースを貫通しており、該電子機器内部を外部と接続する接続端子と、前記枠状部材に設けられ、前記接続端子と前記回路基板とを接続する内部接続端子（例えば端子２２２ａ・２２３ａ）と、を備えた構成とした。
【００１６】
この請求項４記載の発明によれば、接続端子と回路基板とを接続する内部接続端子を絶縁部材に沿って設けたので、接続端子と回路基板との接続に必要な空間は少なくなり、電子機器を小型化できる。また、枠状部材を回路基板の所定位置に接触させることで接続端子と回路基板とを接続できるため、これらの接続工程は簡易になる。
【００１７】
すなわち、例えば電池を充電型として、接続端子を介してこの電池に電力を供給することもできる。
【００１８】
また、請求項５に記載するように、接続端子として、外部から内部へ信号を伝達する入力用接続端子（例えば外部機器接続コネクタ２０４の端子）と、内部から外部へ信号を伝達する出力用接続端子（例えばイヤホン接続コネクタ２０５の端子）と、の少なくとも一方を備える構成とすることで、音楽データなどの信号を外部から取り込んで該電子機器内部に格納したり、あるいは該電子機器内部で生成した信号を外部に出力することができる。
【００１９】
また、請求項６記載の発明は、請求項１〜５のいずれかに記載のリスト型電子機器において、前記保持部材及び前記枠状部材のいずれか一方に穴（２４４）を形成し、他方に前記穴に係合する突起（２２５）を設けたことを特徴とする。
【００２０】
この請求項６記載の発明によれば、穴と突起とが係合することで、容易に保持部材の位置決めを行うことができる。
【００２１】
【発明の実施の形態】
以下、図を参照して、本発明の一実施例であるリスト型音楽再生装置１００（電子機器）について詳細に説明する。
図１は、本実施例におけるリスト型音楽再生装置１００全体の外観を示す概略図であり、図２はリスト型音楽再生装置１００の本体部２００の平面図であり、図３は本体部２００の一部破断の縦断面図であり、図４（Ａ），（Ｂ），（Ｃ）はそれぞれ本体部２００の構成部品の一つであるアース部材２０６の平面図，端面図、斜視図である。図５（Ａ）は本体部２００内部の一部の構造を説明する裏面図であり、同図（Ｂ）は本体部２００の内部構造を示す縦断面図である。図６は本体部２００の内部構造の一部の分解斜視図であり、図７（Ａ），（Ｂ），（Ｃ）はそれぞれ本体部２００の構成部品の一つである地板２３０付きの枠状部材２２０の平面図、側面図、裏面図であり、図８（Ａ），（Ｂ）ははそれぞれ本体部２００の構成部品の一つである保持部材２４０の平面図および裏面図であり、図９〜図１４は本体部２００の組立工程の一部を説明する裏面図である。
【００２２】
まず、リスト型音楽再生装置１００の構成について説明する。
図１に示すように、リスト型音楽再生装置１００は、腕時計として機能すると共に音楽再生装置としても機能する装置であり、略直方体状の本体部２００と、当該本体部２００を使用者の身体（例えば、手首や二の腕等）に装着させる周知の一対のバンド部材（以下、リストバンド３０１，３０２と呼ぶ。）と、各リストバンド３０１，３０２を着脱可能に連結させる周知のバックル４０１，４０２と、本体部２００の一側面側に脱着可能に装着されるイヤホン接続アダプタ５００および周知のイヤホン６００とから構成される。
【００２３】
ここで、イヤホン接続アダプタ５００は、イヤホン６００をリスト型音楽再生装置１００に接続するアダプタであり、イヤホン６００のイヤホン端子６０１が挿入されるイヤホンジャック（図示省略）と、リスト型音楽再生装置１００のイヤホン接続コネクタ２０５に接続されるイヤホンアダプタ接続ピン（図示省略）と、イヤホン端子６０１と前記したイヤホンアダプタ接続ピンとを導通させる内部回路（図示省略）と、を備えている。すなわち、リスト型音楽再生装置１００が音楽データから再生・出力した音楽信号は、イヤホン接続コネクタ２０５，前記したイヤホンアダプタ接続ピン、内部回路、イヤホンジャック、そしてイヤホン端子６０１を介してイヤホン６００に出力される。
このように、イヤホン接続アダプタ５００を用いて本体部２００とイヤホン６００と接続することにより、本体部２００を大きくすることなく、市販の一般的な規格や寸法のイヤホン端子６０１が本体部２００に接続可能となっている。
【００２４】
本体部２００は、図２に示すように、表部に、表示部２０１、操作入力部２０２、及びモード設定時に操作されるモードスイッチ２０３を備えており、また、他側面側には外部機器アダプタと本体部２００内部とを接続する外部機器接続コネクタ２０４を、一側面側にはイヤホン接続アダプタ５００と本体部２００内部を接続するイヤホン接続コネクタ２０５を、それぞれ備えている。
【００２５】
表示部２０１は、液晶表示パネル等の表示画面を備えており、前記した制御部から入力される表示データに基づいて、リスト型音楽再生装置１００が時計として動作する時計モードにおいては、現在時刻や日付、曜日等の時計情報を表示し、リスト型音楽再生装置１００が音楽データの再生処理を行う音楽モードにおいては、音楽データの曲名、歌手名、演奏時間、歌詞、或いは該音楽データに付された番号等、再生する音楽に関する情報を画面上に表示し、通信モードでは、外部機器との通信接続状態である旨のメッセージやダウンロード中の音楽データに対応する音楽関連情報等を表示する。
なお、表示部２０１の表面は、風防ガラスによって保護されている。
【００２６】
また、操作入力部２０２は、時計モードにおける時刻の修正など時計機能に関する操作や、音楽モードにおける音楽の再生、停止、巻き戻し、早送りといった音楽再生に関する操作、或いは通信モードにおいて外部機器との通信を開始するといったデータ通信機能に関する操作を入力するためのキーを備え、押下されたキーの押下信号を前記した制御部に出力する。
【００２７】
また、モードスイッチ２０３は、時計モード、音楽モード、及び通信モードを設定するためのスイッチであり、各モードに対応するスイッチが設けられている。或いはモード選択メニューを表示部２０１に表示させるためのスイッチとして構成してもよい。モードスイッチ２０３が押下操作されると押下されたスイッチの押下信号を前記した制御部に出力する。前記した制御部は、モードスイッチ２０３の押下操作によってモードが切り替え設定されると、設定されたモード（時計モード、音楽モード、或いは通信モード）に対応する処理を実行制御する。
【００２８】
また、外部機器接続コネクタ２０４は、前記した外部機器アダプタを介してＰＣ（Personal Computer）等の外部機器から伝送されるデータの入力用接続端子２０４ａを備えており、該外部機器から伝送されるデータ（圧縮符号化音楽データ）を後述する本体部２００内部のメモリカード２６０に格納する。
また、イヤホン接続コネクタ２０５は、イヤホン接続アダプタ５００を接続するための出力用接続端子２０５ａを備えており、当該イヤホン接続コネクタ２０５を介して前記した本体部２００内部の音楽データ復号器や音楽データ出力部から出力される音楽データをイヤホン６００に出力する。
【００２９】
ここで、図３に示すように、機器ケース２００ａ内部には図４に詳細を示すアース部材２０６が、入力用接続端子２０４ａ側及び出力用接続端子２０５ａ側に設けられていて、このアース部材２０６により入力用接続端子２０４ａ及び出力用接続端子２０５ａの静電気を逃がす。なお、図４は、入力用接続端子２０４ａ側のアース部材を示す。
アース部材２０６は、導電性金属板からなり、略長方形の本体２０６ａに入力用接続端子２０４ａ或いは出力用接続端子２０５ａの可動軸２７１を貫通させる穴２０６ｂを複数設け、さらに本体２０６ａを、導電性金属からなり回路の基準電位に電気的に接続されている裏蓋２０９に導通させる接触片２０６ｃが形成されている。接触片２０６ｃは、ハーフエッチングにより形成され、ハーフエッチングを施すことにより、ハーフエッチングしていない面の表面張力により丸まり、裏蓋２０９を閉めたときに内側に曲がるようになっている。接触片２０６ｃをハーフエッチングで形成することにより、本体２０６ａを厚くしても、接触片２０６ｃの接触圧は小さくできるので、Ｅリングとの接触部分を厚くでき、この部分の剛性を高められる。
入力用接続端子２０４ａ及び出力用接続端子２０５ａは、夫々導電製の可動軸２７１、Ｏリング２７２、ワッシャー２７３、コイルスプリング２７４及び導電製のＥリング２７５から構成されている。Ｏリング２７２、ワッシャー２７３及びコイルスプリング２７４は、機器ケース２００ａの貫通孔に装着され、可動軸２７１はＯリング２７２、ワッシャー２７３及びコイルスプリング２７４を貫通して、機器ケース２００ｂ内部に突出している。可動軸２７１先端は、更にアース部材の穴２０６ｂを貫通し、そして、可動軸２７１先端の溝に抜け防止のＥリングが取付けられている。従って、例えば、イヤホンアダプタ接続アダプタ５００が本体部２００に取付けられ、イヤホンアダプタ接続ピン５０１によって出力用接続端子２０５ａの軸２７１が内部に押し込まれると、Ｅリング２７５がアース部材２０６の本体２０６ａから離間して音楽信号が出力できる状態となり、イヤホンアダプタ接続ピン５０１が外されると可動軸２７１がコイルスプリング２７４により、復帰してＥリング２７５が本体２０６ａに接触してアース状態となる。出力用接続端子２０５ａについても同様である。
【００３０】
また、本体部２００は、図３，図５の両図，図６に示すように、略直方体状の合成樹脂製の機器ケース２００ａ内部に、回路基板２１０と、回路基板２１０の下面に当接する枠状部材２２０（絶縁部材）と、枠状部材２２０の下面に取り付けられる地板２３０と、枠状部材２２０に組み付けられる保持部材２４０と、枠状部材２２０内に保持された電池２５０と、保持部材２４０内に保持された周知のメモリカード２６０と、を備えている。
ここで、枠状部材２２０と保持部材２４０とはネジ２００ｂに周縁を貫かれることで機器ケース２００ａて固定されている。
また、保持部材２４０の上面には、電池２５０のガタツキを防止するための緩衝材２７０を設けている。
【００３１】
回路基板２１０は、本体部２００を制御する制御部回路（図示省略）の他、メモリカード２６０に記憶された音楽データに基づいて音楽を再生する音楽データ復号器（図示省略）や音楽出力部（図示省略）を内蔵している。
【００３２】
枠状部材２２０は、図６および図７（Ａ）・（Ｂ）に示すように、機器ケース２００ａの内側絶縁に沿った形状の絶縁樹脂製の枠であり、一辺には端子２２１ａ（端子）を上から下に差し込み保持する端子保持部２２１を端子２２１ａの数に合わせて備え、他の辺には端子２２２ａ（内部接続端子）を外側面から上面にかけて保持する端子保持部２２２を端子部２２２ａの数に合わせて備え、さらに他の辺には端子２２３ａ（内部接続端子）を外側面から上面にかけて保持する端子保持部２２３を端子２２３ａの数に合わせて備えている。
ここで、端子２２１ａは回路基板２１０とメモリカード２６０の端子パット２６１とを接続する端子であり、端子２２２ａは回路基板２１０と外部機器接続コネクタ２０４とを接続する端子であり、端子２２３ａは回路基板２１０とイヤホン接続コネクタ２０５とを接続する端子である。
【００３３】
また、枠状部材２２０の内側面下部には、内側斜め上方に向けて突出した突出部材２２４を各辺に備えている。突出部材２２４の上端は枠状部材２２０本体に向けて弾性的に折れ曲がり可能である。
すなわち、突出部材２２４は、枠状部材２２０内部に電池２５０が下方から押し込まれる際に枠状部材２２０本体に向けて弾性的に折れ曲がり、その反発力で電池２５０を押さえて保持する。
【００３４】
また、枠状部材２２０の下端面には、保持部材２４０上面の複数の穴２４４（詳細を後述）の各々に係合して保持部材２４０を位置決めする突起２２５を複数備えている。
さらに、枠状部材２２０は、ネジ２００ｂを貫通させる貫通孔２２６を備えている。
【００３５】
地板２３０は、例えば図６に示すように、枠状部材２２０の下端面に概略沿った形状の金属板であり、突起２２５を通す穴２３３を備えるほか、一辺の下部に下に突出したバネ突起２３１を備え、また、上に向けて突出した位置決め凸部２３２を各辺に備えている。
ここで、バネ突起２３１は保持部材２４０の穴２４７（詳細を後述）を通り、外側に向けて弾性変形した状態でメモリカード２６０の端面に当接する。すなわち、バネ突起２３１はメモリカード２６０を押さえて保持部材２４０内に安定させる。
また、位置決め凸部２３２は枠状部材２２０の外側面に、外側に向けて弾性変形した状態で填って該地板２３０を枠状部材２２０に取り付けるものである。
【００３６】
保持部材２４０は、図６および図８（Ａ）・（Ｂ）に示すように、板材２４１の下面にメモリカード保持フック２４２を取付け、板材２４１に、メモリカード２６０の端子パット２６１を保持部材２４０上面側に露出させる開口部２４３を設け、さらに板材２４１周縁に、上述した突起２２５に係合する複数の穴２４４と、上述したバネ突起２３１をメモリカード２６０に当接可能にする穴２４４と、ネジ２００ｂを貫通させる貫通孔２４５とを設けた構成である。
また、保持部材２４０は枠状部材２２０に組み付けた際に、該枠状部材２２０との間に一部隙間を設け、電池２５０のリード線２５１（例えば図１１参照）が引き出せるようになっている。さらに、保持部材２４０の下面のメモリカード差込側端部にはメモリカード保持フック２４２を設けずに、リード線２５１を保持するリード線保持フック２４６と、バネ突起２３１を通す穴２４７とを設けてある。
【００３７】
これら回路基板２１０、枠状部材２２０、地板２３０、保持部材２４０、電池２５０、メモリカード２６０は、以下の手順で機器ケース２００ａ内部に納められる。
【００３８】
すなわち、図９の裏面図に示すように、機器ケース２００ａ内部に表示パネルを組み込んだ後、回路基板２１０を組み込む。
そして、図１０の裏面図に示すように、予め地板２３０を組み込んだ枠状部材２２０を機器ケース２００ａ内に配置する。この際、枠状部材２２０の端子２２１ａ・２２２ａ・２２３ａの上端は回路基板２１０と接続し、さらに端子２２２ａの下端は外部機器接続コネクタ２０４に接続し、端子２２３ａの下端はイヤホン接続コネクタ２０５に接続する。
その後、図１１の裏面図に示すように枠状部材２２０の内側に電池２５０を、リード線２５１を裏側に向けて取り出した状態で填め込む。この際、電池２５０は突出部材２２４の反発力により枠状部材２２０内に固定される。
【００３９】
そして、機器ケース２００ａ外部で保持部材２４０にメモリカード２６０を差込んだ（図１２の裏面図参照）後に、図１３に示すように保持部材２４０をメモリカード２６０と一緒に機器ケース２００ａ内に配置し、貫通孔２２６・２４５にネジ２００ｂを通して枠状部材２２０、保持部材２４０等を機器ケース２００ａに固定する。この際、穴２４４の各々を突起２２５に係合させることで、保持部材２４０は枠状部材２２０に対して位置決めされ、同時にメモリカード２６０の端子パット２６１は端子２２１ａ下端に接続する。また、同時に穴２４７を通り抜けた地板２３０のバネ部材２３１によってメモリカード２６０の端部は保持部材２４０差込側に付勢される。
そして、図１４の裏面図に示すように、リード線２５１をリード線保持フック２４６に填めて、リード線２５１先端のコネクタ２５１ａを回路基板２１０に差し込む。
【００４０】
このような構成のリスト型音楽再生装置１００において、本体部２００内部は、回路基板２１０、枠状部材２２０、メモリカード２６０を内部に保持した保持部材２４０をこの順に積層し、メモリカード２６０と回路基板２１０とを枠状部材２２０を上下に貫通する端子２２１ａで接続したので、回路基板２１０とメモリカード２６０とを接続する導体（すなわち端子２２１ａ）は外部に露出せず、回路基板２１０とメモリカード２６０との接続に必要な空間は従来より格段に少なくなる。
【００４１】
また、外部機器コネクタ２０４と回路基板２１０とを接続する端子２２２ａを枠状部材２２０内に上下に貫通して設け、同様にイヤホン接続コネクタ２０５と回路基板２１０とを接続する端子２２３ａも枠状部材２２０内に上下に貫通して設けたので、外部機器コネクタ２０４、イヤホン接続コネクタ２０５と回路基板２１０との接続に必要な空間は従来より格段に少なくなる。
【００４２】
また、枠状部材２２０内部に電池２５０を納めたので、本体部２００内部の空間は隙間なく有効利用される。
【００４３】
また、上述したアース部材２０６の働きにより、専用の回路を設けることなく本体部２００内の電子部品に静電気が流れることを防げる。
【００４４】
従って、本体部２００は小型化し、リスト型音楽再生装置１００の携帯性は向上する。
【００４５】
また、メモリカード２６０、外部機器コネクタ２０４、イヤホン接続コネクタ２０５と回路基板２１０とは、枠状部材２２０を所定の位置に配置するのみで接続することになり、これらの接続工程は簡易になる。
【００４６】
なお、本発明は本実施例に限定されるものではなく、発明の趣旨を逸脱しない範囲で任意に変形して良い。
例えば、端子２２１ａ・２２２ａ・２２３ａを枠状部材２２０に填め込む構成ではなく、枠状部材２２０成形時にインサートしてインサート成形してもよい。
【００４７】
【発明の効果】
以上のように、請求項１記載の発明によれば、回路基板とカード部材とを接続する端子が枠状部材に設けられていると共に、電池が枠状部材の内部に収納されているため、必要なスペースを最小限に抑えられるため、電子機器を薄型化、小型化できる。
【００４９】
また、請求項３記載の発明によれば、枠状部材の内側に納められた電池は、前記突出部材の反発力により保持されるので、より安定して納められる。
【００５０】
また、請求項４および５記載の発明によれば、接続端子と回路基板との接続に必要な空間は少なくなる。
【００５１】
また、請求項６記載の発明によれば、容易に保持部材の位置決めを行うことができる。
【図面の簡単な説明】
【図１】本発明の一実施例であるリスト型音楽再生装置全体の外観を示す概略図である。
【図２】リスト型音楽再生装置の本体部の平面図である。
【図３】本体部の一部破断の縦断面図である。
【図４】（Ａ）、（Ｂ）、（Ｃ）はそれぞれ本体部のアース部材の平面図、端面図、斜視図である。
【図５】（Ａ）は本体部内部の一部の裏面図であり、（Ｂ）は同縦断面図である。
【図６】本体部の内部構造の一部の分解斜視図である。
【図７】（Ａ），（Ｂ），（Ｃ）は本体部の枠状部材の平面図、側面図、裏面図である。
【図８】（Ａ），（Ｂ）は本体部の保持部材の平面図および裏面図である。
【図９】本体部の組立工程の一部を説明する裏面図である。
【図１０】本体部の組立工程の一部を説明する裏面図である。
【図１１】本体部の組立工程の一部を説明する裏面図である。
【図１２】本体部の組立工程の一部を説明する裏面図である。
【図１３】本体部の組立工程の一部を説明する裏面図である。
【図１４】本体部の組立工程の一部を説明する裏面図である。
【符号の説明】
１００          リスト型音楽再生装置（電子機器）
２００ａ        機器ケース
２０４ａ        入力用接続端子
２０５ａ        出力用接続端子
２１０          回路基板
２２０          枠状部材（絶縁部材）
２２１ａ        端子
２２２ａ        端子（内部接続端子）
２２３ａ        端子（内部接続端子）
２２４          突出部材
２２５          突起
２４０          保持部材
２４４          穴
２５０          電池
２６０          メモリカード
【図１】
0003873555.tif 000002
【図２】
0003873555.tif 000003
【図３】
0003873555.tif 000004
【図４】
0003873555.tif 000005
【図５】
0003873555.tif 000006
【図６】
0003873555.tif 000007
【図７】
0003873555.tif 000008
【図８】
0003873555.tif 000009
【図９】
0003873555.tif 000010
【図１０】
0003873555.tif 000011
【図１１】
0003873555.tif 000012
【図１２】
0003873555.tif 000013
【図１３】
0003873555.tif 000014
【図１４】
0003873555.tif 000015